(57)【要約】ポータブル・デジタル・メディア・デバイスのデータ・コンテンツをネットワークを介して１又は複数のネットワーク接続された電子デバイスに露出するための１又は複数の実装例が示されている。この露出は、ポータブル・デジタル・メディア・デバイスが（例えば、ＵＳＢ経由で）直接に結合されているネットワーク接続されたパーソナル・コンピュータを介してなされる。更に、ウェブ接続されたパーソナル・コンピュータにおいてウェブ・フィードからデータ・コンテンツのカスタマイズされた収集物を収集し、収集されたウェブ・フィード・データ・コンテンツを（テレビ用のセットトップボックスなどの）ネットワーク接続された電子デバイスに露出する１又は複数の実装例も説明されている。
2009520270.tif 000002
【特許請求の範囲】
【請求項１】
共通ネットワークに接続されたほとんどの電子デバイスには通常は入手不可能なデータ・コンテンツであるネットワーク外部データ・コンテンツを発見するように構成されたデータ・コンテンツ・プロバイダと、
前記発見されたネットワーク外部データ・コンテンツを前記共通ネットワークにおける複数の電子デバイスに露出するように構成されたネットワーク・エクスポーザと、
を備えていることを特徴とするシステム。
【請求項２】
請求項１記載のシステムにおいて、前記ネットワーク外部データ・コンテンツは、前記共通ネットワークに接続されているコンピュータに結合されるように構成されているポータブル記憶デバイスに記憶されることを特徴とするシステム。
【請求項３】
請求項１記載のシステムにおいて、前記ネットワーク外部データ・コンテンツは、コンピュータに結合されるように構成されているポータブル・メディア・プレーヤに記憶されることを特徴とするシステム。
【請求項４】
請求項１記載のシステムにおいて、前記ネットワーク外部データ・コンテンツは、コンピュータに結合されるように構成されているポータブル・メディア・プレーヤに記憶され、前記データ・コンテンツは、コンピュータ及びポータブル・デバイスに記憶される及びコンピュータ及びポータブル・デバイスとの間で配信されるデジタル・オーディオ、デジタル音楽、デジタル・イメージ、デジタル・ビデオ、デジタル・マルチメディア及び任意のそれ以外のレンダリング可能なデジタル・コンテンツから構成されるグループから選択されることを特徴とするシステム。
【請求項５】
請求項１記載のシステムにおいて、前記ネットワーク外部データ・コンテンツは複数のウェブ・フィードから導かれることを特徴とするシステム。
【請求項６】
請求項１記載のシステムにおいて、前記ネットワーク外部データ・コンテンツは複数のウェブ・フィードから導かれ、デジタル・オーディオ、デジタル音楽、デジタル・イメージ及びデジタル・ビデオから構成されるグループから選択されることを特徴とするシステム。
【請求項７】
共通ネットワークに接続されているコンピュータに直接に結合されているポータブル記憶デバイスに記憶されているデータ・コンテンツを発見するように構成されたデータ・コンテンツ・プロバイダと、
前記発見されたデータ・コンテンツを前記共通ネットワークにおけるネットワーク接続された１又は複数の電子デバイスに露出するように構成されたネットワーク・エクスポーザと、
を備えていることを特徴とするシステム。
【請求項８】
請求項７記載のシステムにおいて、前記ポータブル記憶デバイスはポータブル・デジタル・メディア・プレーヤであることを特徴とするシステム。
【請求項９】
請求項７記載のシステムにおいて、前記ポータブル記憶デバイスは、直接的な接続を介して前記コンピュータに結合されるように構成されていることを特徴とするシステム。
【請求項１０】
請求項７記載のシステムにおいて、前記データ・コンテンツは、コンピュータ及びポータブル・デバイスに記憶される及びコンピュータ及びポータブル・デバイスとの間で配信されるデジタル・オーディオ、デジタル音楽、デジタル・イメージ、デジタル・ビデオ、デジタル・マルチメディア及び任意のそれ以外のレンダリング可能なデジタル・コンテンツから構成されるグループから選択されることを特徴とするシステム。
【請求項１１】
ウェブ・フィード通信ネットワークからウェブ・フィード・データ・コンテンツを取得するように構成されているデータ・コンテンツ・プロバイダと、
前記取得されたウェブ・フィード・データ・コンテンツを、前記ウェブ・フィード前記共通ネットワークにおけるネットワーク接続された１又は複数の電子デバイスに露出するように構成されたネットワーク・エクスポーザと、
を備えていることを特徴とするシステム。
【請求項１２】
請求項１１記載のシステムにおいて、前記データ・コンテンツ・プロバイダは、更に、前記取得されたデータ・コンテンツのために複数のウェブ・フィードを収集するように構成されていることを特徴とするシステム。
【請求項１３】
請求項１１記載のシステムにおいて、前記データ・コンテンツ・プロバイダは、更に、前記取得されたデータ・コンテンツの複数のウェブ・フィードの収集物をカスタマイズするように構成されていることを特徴とするシステム。
【請求項１４】
請求項１１記載のシステムにおいて、前記取得されたウェブ・フィード・データ・コンテンツは、ＲＳＳフォーマットされたフィードから導かれることを特徴とするシステム。
【請求項１５】
請求項１１記載のシステムにおいて、前記取得されたウェブ・フィード・データ・コンテンツは、コンピュータ及びポータブル・デバイスに記憶される及びコンピュータ及びポータブル・デバイスとの間で配信されるデジタル・オーディオ、デジタル音楽、デジタル・イメージ、デジタル・ビデオ、デジタル・マルチメディア及び任意のそれ以外のレンダリング可能なデジタル・コンテンツから構成されるグループから選択されることを特徴とするシステム。
【請求項１６】
共通ネットワークに接続されたコンピュータに直接に結合されたポータブル記憶デバイスに記憶されているデータ・コンテンツを発見するステップと、
前記発見されたデータ・コンテンツを前記共通ネットワークにおける１又は複数のネットワーク接続された電子デバイスに露出するステップと、
を含むことを特徴とする方法。
【請求項１７】
請求項１６記載の方法において、前記発見されたデータ・コンテンツを前記共通ネットワークにおける１又は複数のネットワーク接続された電子デバイスに提供するステップを更に含むことを特徴とする方法。
【請求項１８】
請求項１６記載の方法において、前記ポータブル記憶デバイスはポータブル・デジタル・メディア・プレーヤであることを特徴とするシステム。
【請求項１９】
ウェブ・フィード通信ネットワークからウェブ・フィード・データ・コンテンツを取得するステップと、
前記取得されたウェブ・フィード・データ・コンテンツを、前記ウェブ・フィード通信ネットワークではないネットワークにおける１又は複数のネットワーク接続された電子デバイスに露出するステップと、
を含むことを特徴とする方法。
【請求項２０】
請求項１９記載の方法において、前記取得されたウェブ・フィード・データ・コンテンツのカスタマイズされた収集物を収集するステップを更に含むことを特徴とする方法。
【請求項２１】
請求項１９記載の方法において、前記取得されたウェブ・フィード・データ・コンテンツを、ビデオ・スクリーンに提示されているビデオの上の「ニューズクロラ」として前記ビデオ・スクリーンに表示するためにレンダリングするステップを更に含むことを特徴とする方法。
【請求項２２】
請求項１９記載の方法において、前記ウェブ・フィード・データ・コンテンツは１又は複数のＲＳＳフィードを含むことを特徴とする方法。
【請求項２３】
請求項１９記載の方法において、前記ウェブ・フィード・データ・コンテンツはテキスト・キャラクタを含み、この方法は、コンピュータ可読のテキスト・フォーマットを有するウェブ・フィード・データ・コンテンツを前記１又は複数のネットワーク接続された電子デバイスに提供するステップを更に含むことを特徴とする方法。
【請求項２４】
請求項１９記載の方法において、
前記ウェブ・フィード・データ・コンテンツのテキスト・キャラクタをコンピュータ可読媒体なデジタル・イメージ・フォーマットに変換するステップと、
コンピュータ可読媒体なデジタル・イメージ・フォーマットを有する前記ウェブ・フィード・データ・コンテンツを前記１又は複数のネットワーク接続された電子デバイスに提供するステップと、
を更に含むことを特徴とする方法。
【請求項２５】
請求項１９記載の方法において、
前記ウェブ・フィード・データ・コンテンツのテキスト・キャラクタをコンピュータ可読媒体なデジタル・オーディオ・フォーマットにテキスト音声変換するステップと、
コンピュータ可読媒体なデジタル・オーディオ・フォーマットを有する前記ウェブ・フィード・データ・コンテンツを前記１又は複数のネットワーク接続された電子デバイスに提供するステップと、
を更に含むことを特徴とする方法。
【発明の詳細な説明】
【技術分野及び背景技術】
【０００１】
この背景に関するセクションでは、この特許出願において説明される実装例に関する３つの関心対象に関して背景的な説明を簡単に行う。これらのトピックとは、ユニバーサル・プラグ・アンド・プレイ（ＵＰｎＰ）と、ＰＣ結合された（例えば、ＵＳＢ）データ・コンテンツ・デバイスと、ウェブ・フィード（例えば、ＲＳＳ）である。
ユニバーサル・プラグ・アンド・プレイ（ＵＰｎＰ）：
ユニバーサル・プラグ・アンド・プレイ（ＵＰｎＰ）は、ネットワークとの間でのデバイスの追加及び削除を容易にするネットワーク・アーキテクチャを提供する。例えば、ＵＰｎＰアーキテクチャによると、ユーザは、新たなデバイスをネットワーク結合に単純にプラグすることが可能になり、ネットワークがこの新たなデバイスの特性を自動的に判断し、それ以後は、この新たなデバイスとネットワークの中の他のデバイスとの間の相互作用を判断された特性に基づいて調整する。ＵＰｎＰアーキテクチャは、家庭、職場、学校などの局所的な設定と関連するネットワークに特に適している。「ユニバーサル・プラグ・アンド・プレイ」デバイスという用語は、先に開発されていたデバイスであるプラグ・アンド・プレイ（ＰｎＰ）において提供されていた機能から生じていることに注意してほしい。デバイスＰｎＰは、ＰＣなどのスタンドアロン・コンピュータ装置との間で周辺機器を自動的に追加する及び取り外しするための柔軟性のある技術を提供する。
【０００２】
例示的なＵＰｎＰアーキテクチャとその従来型の機能とは、同時出願中の米国特許出願第１０／７４２，５８８号（その全体をこの出願において援用する）の図１及び２と、これらの図面と関連する明細書での説明において示されている。更に、ＵＰｎＰフォーラムのウェブページ（すなわち、http://upnp.org/）では、ＵＰｎＰアーキテクチャ及び関連するトピックに関するより詳細な情報が提供されている。
ＰＣ結合されたデータ・コンテンツ・デバイス：
ますます頻繁に、パーソナル・コンピュータ（更には、セットトップボックスやそれ以外の計算機）は、ポータブルで取外可能な記憶装置と直接に結合可能になってきている。そのような取外可能な記憶装置は、例えば、ソリッドステート・フラッシュ・ドライブ、シャーシに実装されたハードドライブ又はそれ以外の不揮発性メモリ装置などで構成されている。これらの装置には、データを記憶するという主たる機能を有するものと、それ以外を主たる機能として有するもの（例えば、当該装置に記憶されたマルチメディアを再生する）とが含まれる。後者の例として、デジタル・メディア・プレーヤや、いわゆる「ｍｐ３プレーヤ」や、「デジタル・ビデオ・プレーヤ」などがある。
【０００３】
このようなポータブルで取外可能な装置は、「ファイアワイア」、ユニバーサル・シリアル・バス（ＵＳＢ）又は物理的なインターフェース・ケーブルを結合する類似のショートレンジ・デバイスなどを介してパーソナル・コンピュータと接続されるのが例示的である。これにより、ユーザが、データ及びマルチメディアを取外可能装置に記憶し、携帯するためにその装置をアンプラグすることが容易になる。
【０００４】
デジタル・メディア（音楽やビデオ）は、多くの場合、デジタル権利管理（Digital Right Management）の形態を介して保護され、ポータブル・デジタル・メディア・プレーヤはその上に記憶されているデジタル・メディアのＤＲＭ権利に敬意を払いその管理を助けるのが一般的である。従って、承認されたポータブル・メディア・デバイスに記憶されているＤＲＭ保護されたメディア・ファイルは、当該デバイスにおいては再生がなされるが、承認されていないデバイスやパーソナル・コンピュータに転送された場合には再生はなされない。
ウェブ・フィード：
最近は、ウェブ・フィード（web-feeds）がますます普及してきた。ウェブ・フィードとは、そのようなデータ・コンテンツの更新に関して加入しているウェブ（すなわち、インターネット）上の人間に送られるウェブ組織化された（web-syndicated）データ・コンテンツに対する包括的な用語である。ウェブ・フィードは、最も多くの場合、データ・コンテンツがしばしば更新されるウェブサイト（又は、ウェブログ）において用いられることが想定されている。このようなデータ・コンテンツの例には、例えば、ニューズ・フィード、イベント・リスティング、ウェザー・アップデート、ニューズ・ストーリーズ、ヘッドラインズ、プロジェクト・アップデート及びディスカッション・フォーラムからの抜き書きなどが含まれる。
【０００５】
ウェブ・フィードは、「ＲＳＳ」又は「ＲＳＳフィード」という用語によって最もよく知られている。これらは、ウェブ・フィードの最も一般的なフォーマットの名称である。ＲＳＳは、ウェブ・シンジケーションに対するＸＭＬファイル・フォーマットのファミリである。「ＲＳＳ」という略語の厳密な意味は、コンテキストに依存するのであるが、常にウェブ・フィード・プロトコルのスタンダード又はフォーマットを意味する。
【０００６】
ウィキペディア（http://en.wikipedia.org）によると、ＲＳＳフォーマットは、例示的には、当該コンテンツの完全版及びそれ以外のメタデータへのリンクを伴うウェブ・コンテンツ又はウェブ・コンテンツの概略を提供する。この情報は、「ＲＳＳフィード」、「ウェブフィード」、「ＲＳＳストリーム」又は「ＲＳＳチャネル」と称されるＸＭＬファイルとして配信される。組織化を容易にすることに加えて、ＲＳＳは、ウェブサイトの頻繁な読者が、「アグリゲータ」を用いて、当該サイトにおける更新をトラッキングすることを可能にする。
【０００７】
ウィキペディアによると、「ＲＳＳは、ウェブログ・コミュニティによって最新エントリのヘッドラインや全文、更には添付されたマルチメディア・ファイルを共有するのに広く用いられている（ポッドキャスティング、ブロードキャッチング、フォトキャスティング、ピクチャキャスティング、スクリーンキャスティング、Ｖロギング、ＭＰ３ブログなどを参照のこと）。２０００年の中盤において、ＲＳＳの使用は、様々な使用契約の下でロイター、ＣＮＮ、ＢＢＣなどを含む多くの主要なニュース機関に拡がり、プロバイダは、他のウェブサイトがその「協定された」ヘッドラインやヘッドライン及び短い概略フィードを組み入れることを可能にしている。ＲＳＳは、現在では、マーケティング、バグ報告、又は、周期的な更新又は公開を含む任意の他の活動を含む多くの目的に用いられている。」
【発明の概要】
【０００８】
ポータブル・デジタル・メディア・デバイスのデータ・コンテンツをネットワークを介して１又は複数のネットワーク接続された電子デバイスに露出する１又は複数の実装例が記載されており、この露出は、ネットワーク接続されておりポータブル・デジタル・メディア・デバイスが（例えば、ＵＳＢを介して）直接に結合されているパーソナル・コンピュータを介してなされる。更に、ウェブ接続されたパーソナル・コンピュータにおけるウェブ・フィードからデータ・コンテンツのカスタマイズされた収集物を集め、そのようにして集めたウェブ・フィード・データを（テレビ受像器のためのセットトップ・ボックスなどの）ネットワーク接続された電子デバイスに露出する実装例が記載されている。
【０００９】
この概要は、後述の詳細な説明において更に説明される内容について、簡略化された形式で諸概念のいくつかについて導入的な説明を行うためのものである。従って、この概要は、特許請求の範囲に記載された発明のキーとなる本質的な特徴を識別することは意図していないし、特許請求の範囲に記載された発明の範囲を判断する際に用いられることも意図していない。
【発明を実施するための最良の形態】
【００１０】
１又は複数のネットワーク接続された電子デバイスに、ネットワークを介して、ポータブル・ディジタル・メディア・デバイスのデータ・コンテンツ（例えば、デジタル・メディア）を露出する技術について説明する。この技術を用いると、データ・コンテンツの露出は、ポータブル・ディジタル・メディア・デバイスが結合されている（例えば、ＵＳＢを介して）ネットワーク接続されたパーソナル・コンピュータを介して実行される。更に、ウェブ接続されたパーソナル・コンピュータにおいてウェブ・フィード（例えば、ＲＳＳフィード）からデータ・コンテンツのカスタマイズされた収集物を集め、そのようにして集められたウェブ・フィード・データ・コンテンツを、ネットワーク接続された電子デバイス（テレビ用のセットトップ・ボックスなど）に露出する技術についても説明する。
【００１１】
この明細書では、データ・コンテンツとは、デジタル・オーディオ、デジタル音楽、デジタル・イメージ、デジタル・ビデオ、デジタル・マルチメディア、及び、コンピュータ及びポータブル・デバイスに記憶されこれらの間で配信可能な任意のそれ以外のレンダリング可能なデジタル・コンテンツを含む。
例示的な環境：
図１は、ここで説明する１又は複数の実施例が実装される例示的な環境１００を示す。示されているように、例示的な環境１００は、メモリ１２０を備えたコンピュータ１１０（パーソナル・コンピュータなど）を含む。メモリ１２０は、コンピュータ１１０によってアクセス可能な任意の利用可能なプロセッサ可読な媒体である。メモリ１２０は、揮発性又は不揮発性の媒体でありうる。さらに、それは取外し可能又は取外し不可能なメディアのいずれかである。
【００１２】
メモリ１２０では、２つのソフトウェア・モジュールが動作する。データ・コンテンツ・プロバイダ１２２とネットワーク・エクスポーザ１２４とである。これらのソフトウェア・モジュールは、アプリケーション・プログララミング・インターフェイス（ＡＰＩ）、デバイス・ドライバ、アプリケーション、プログラムなどでありうる。ここではソフトウェア・モジュールと称しているが、データ・コンテンツ・プロバイダー１２２及びネットワーク・エクスポーザ１２４は、ソフトウェアだけ、ハードウェアだけ、ファームウェアだけ、又はそれらの何らかの組合せとして実装されることがある。データを提供しネットワークを介して当該データを露出するという広い概念は、ＵＰｎＰアーキテクチャ及び技術の分野においては、よく知られている。
【００１３】
取外し可能なポータブル・メディア・デバイス１３０は、ユニバーサル・シリアル・バス（ＵＳＢ）、ＩＥＥＥ１３９４（「ファイアワイア」（firewire））などの短距離の直接の物理インタフェース・カップリングを介してコンピュータ１１０に直接に結合される。そのような取外し可能でポータブル・メディア・デバイス１３０は、例えばソリッドステート・フラッシュ・ドライブを有するメディア・プレーヤ、シャーシに実装されたハードドライブ、それ以外の不揮発性メモリなどで構成される。ポータブル・メディア・デバイス１３０の例は、いわゆる「ｍｐ３プレーヤ」及び「デジタルビデオ・プレーヤ」を含む。デジタル・データ・コンテンツ（音楽やビデオなど）は、ポータブル・メディア・デバイス１３０に格納される。さらに、ポータブル記憶デバイスは、有線の場合に加えて、短い範囲の無線インタフェースを介して露出されることがある。このシナリオでは、ＰＣは、コンテンツの「アグリゲータ」（aggregator）として機能し、接続の物理的手段には依存しないだろう。
【００１４】
示されているように、コンピュータ１１０は、インターネット１４０などの公共のコンピュータ通信ネットワークに接続されており、更に、プラグ・アンド・プレイ・ネットワーク１４０に接続されている。プラグ・アンド・プレイ・ネットワーク１４０は、例えば、デバイスをネットワークに追加する及びデバイスをネットワークから削除することが容易なユニバーサル・プラグ・アンド・プレイ（ＵＰｎＰ）ネットワーク・アーキテクチャを用いることがある。
【００１５】
コンピュータ１１０に加え、図１は、プラグ・アンド・プレイ・ネットワーク１４０に接続された、他のネットワーク接続された電子デバイス（１５２、１５４及び１５６）を示している。この例では、これらの電子デバイスは、ＵＰｎＰデバイスであり、様々な電子デバイスを含む。例示的なネットワーク接続された電子デバイスとしては、あらゆるタイプのコンピュータを含み、ＣＤ／ＤＶＤプレーヤ／ジュークボックス、テレビ、ＶＣＲ、ＭＰ３プレイヤー、ステレオ・システム、電子ピクチャ・フレーム（ＥＰＦ）、様々なタイプの静止及びビデオカメラ、ディジタル・メディア・レシーバ（ＤＭＲ）、コネクティドＤＶＤ、デジタル・オーディオ・レシーバ（ＤＡＲ）、ディジタル・メディア・ハブ、ディジタル・メディア・プレーヤ、ディジタル・メディア・ストリーマ、デジタル・ビデオ・レシーバ、ネットワーク・メディア・プレーヤ、ネットワーク化されたＤＶＤ、ネットワーク接続されたエンタテイメント・ゲートウエイなどを含む。
【００１６】
示されているように、デバイス１５６はＤＭＲであり、有線又は無線の家庭のネットワーク（プラグ・アンド・プレイ・ネットワーク１４０など）を介してコンピュータからディジタル・メディア・ストリームを受け取る家電デバイスである。いくつかのＤＭＲは、一体化されたディスプレイ及びスピーカを有する。ＤＭＲ１５６のような他のものは、テレビ１５８、給電されたスピーカ又はステレオ・システムなどの外部出力デバイスに接続される。
【００１７】
プラグ・アンド・プレイ・ネットワーク１４０は、伝送制御プロトコル及びインターネット・プロトコル（ＴＣＰ／ＩＰ）を用いて、デバイス（１５２、１５４及び１５６）を相互に結合することができる。もちろん、プラグ・アンド・プレイ・ネットワーク１４０は、さらに、自由に、ハイパーテキスト転送プロトコル（ＨＴＴＰ）、シンプル・オブジェクト・アクセス・プロトコル（ＳＯＡＰ）、ジェネラル・イベント・ノーティフィケーション・アーキテクチャ（ＧＥＮＡ）など、他の標準プロトコルからも引くことができる。プラグ・アンド・プレイ・ネットワーク１４０は、物理的には、様々なハードワイヤード及び／又は無線通信機構をもちいて実装可能である。これには、電話回線、電力線、赤外線データ・アソシエーション（ＩｒＤａ）、イーサネット（登録商標）、無線周波数（ＲＦ）カップリング、ＷｉＦｉなどが含まれる。
【００１８】
ここで説明されるインプリメンテーションに適切な動作及びネットワーキング環境は、同時継続中の米国特許出願第１０／７４２，５８８号（この出願において援用する）の図３ないし図７に示され、これらの図面に対応する箇所で説明されている。
コンピュータ結合されたデバイスからのデータ・コンテンツの露出：
ある１つの実装例（インプリメンテーション）では、コンピュータ１１０及びポータブル・メディア・デバイス１３０は、それらの間において正常で典型的な通信が可能であるように物理的に結合されている。確かに、この構成は、コンピュータ１１０及ポータブル・メディア・デバイス１３０が、当該メディア・デバイスに格納されたデータ・コンテンツを同期させることを可能にするように採用される。
【００１９】
ディジタル媒体（音楽やビデオなど）は、デジタル権利管理（ＤＲＭ）の形式を介して保護されることが多く、ポータブル・ディジタル・メディア・プレ−ヤ（ポータブル・メディア・デバイス１３０のような）がその上に格納されたディジタル媒体のＤＲＭ権利に敬意を払いそれを管理することを支援するのが一般的である。したがって、承認されたポータブル・メディア・デバイス上に格納されたＤＲＭ保護された媒体ファイルは、当該デバイスにおいては再生されるが、無許可のデバイスやパーソナル・コンピュータに転送されれば再生されない。
更に、従来型のアプローチでは、ネットワーク接続されたデバイスは、当該ネットワーク接続されたデバイスと同じネットワークに接続されているコンピュータに物理的に結合されているポータブル・メディア・デバイス上に格納されたデータ・コンテンツにはアクセスできない。図１との関係では、このステートメントは、以下のように言い換えることができる。すなわち、従来型のアプローチでは、プラグ・アンド・プレイ・ネットワーク１５０におけるデバイス（１５２、１５４及び１５６）などのネットワーク接続されたデバイスは、コンピュータ１１０に物理的に結合されたポータブル・メディア・デバイス１３０などのポータブル・メディア・デバイスに記憶されているデータ・コンテンツにアクセスできない。
【００２０】
しかし、ここで説明されるインプリメンテーションを用いると、プラグ・アンド・プレイ・ネットワーク１５０におけるデバイス（１５２、１５４及び１５６）などのネットワーク接続されたデバイスは、コンピュータ１１０に物理的に結合されたポータブル・メディア・デバイス１３０などのポータブル・メディア・デバイスに記憶されているデータ・コンテンツを知ることができ、アクセスできる。このコンテキストでは、ポータブル・メディア・デバイス上のデータ・コンテンツは、「外部ネットワーク」データ・コンテンツとして見られる。というのは、当該データ・コンテンツは、この場合プラグ・アンド・プレイ・ネットワーク１５０である当該コンピュータ及びデバイスに共通のネットワークの外部にあるからである。ポータブル・デバイス１３０におけるデータはコンピュータにとって利用可能であるが、その理由は、当該ポータブル・デバイスは当該コンピュータに直接に結合されているからである。しかし、このデータ・コンテンツは、プラグ・アンド・プレイ・ネットワーク１５０上のデバイスには利用不可能（すなわち「外部」）である。
【００２１】
より具体的には、データ・コンテンツ・プロバイダ１２２は、ポータブル・メディア・デバイス１３０とインターフェースしてその上に格納されたデータ・コンテンツに関する情報を得るように特に構成されている。典型的には、データ・コンテンツ・プロバイダ１２２は、ポータブル・メディア・デバイスの１又は複数の特定のタイプ、ブランド及び／又は標準とインターフェースするように特にプログラムされる。
【００２２】
いったん発見すると、ネットワーク・エクスポーザ１２４は、デバイス（１５２、１５４及び１５６）などのネットワーク接続されたデバイスに、ポータブル・メディア・デバイス１３０のデータ・コンテンツを露出（つまり、ブラウジング、使用、コピー及び／又は他のデータ特有の機能を利用可能にする）する。従って、ネットワーク接続されたデバイスは、ポータブル・メディア・デバイス１３０上に格納されたデータ・コンテンツにアクセスし消費することできる。
【００２３】
例えば、ポータブル・メディア・デバイス１３０は、ポピュラな連続テレビ番組のあるエピソードのビデオを格納することがある。ここで説明しているインプリメンテーションを用いると、ＤＭＲ１５６は、コンピュータと結合されたメディア・デバイス上に格納されたそのテレビ・エピソードを発見し、付属のテレビ１５８においてそのビデオを再生することができる。テレビ・エピソードがＤＲＭ保護されている場合でも、ポータブル・メディア・デバイス１３０は、そのテレビ・エピソードを再生することを承認されているから、ＤＭＲ１５６は当該データ・コンテンツにをアクセスできる。
カスタマイズされたウェブ・フィード収集物の露出：
別のインプリメンテーションでは、コンピュータ１１０は、インターネット１４０のような公共的なコンピュータ通信ネットワークに接続されている。このインターネット接続を介して、コンピュータは、「ウェブ・フィード」を得ることがある。これは、一般に、「ＲＳＳフィード」と呼ばれる。ウェブ・フィードの典型的なデータ・コンテンツは、例えば、ニューズ・フィード、イベント・リスティング、天気の更新情報、ニューズ・ストーリ、ヘッドライン、プロジェクト更新情報、ディスカッション・フォーラムの抜き取りなどを含む。
【００２４】
このコンテキストでは、ウェブ・フィードからのデータ・コンテンツは、「外部ネットワーク」データ・コンテンツと見なされる。その理由は、当該ウェブ・フィード・データ・コンテンツは、この場合プラグ・アンド・プレイ・ネットワーク１５０であるコンピュータ及びデバイスに共通のネットワークの外側にあるからである。当該コンピュータがインターネットに直接に結合されているからウェブ・フィード・データ・コンテンツはコンピュータにとって利用可能である。しかし、ウェブ・フィード・データ・コンテンツは、プラグ・アンド・プレイ・ネットワーク１５０上のデバイスにとっては利用不可能（つまり「外部」）である。
【００２５】
ユーザ・インタフェースを使用して、ユーザは、関心のあるウェブ・フィードを選択する。あるいは、ウェブ・フィードは、デフォルト及び／又はユーザの好みに基づいて、自動的に選択される。それとは関係なく、ウェブ・フィードは、カスタマイズされるし、連続的に又は固定的なスケジュールで収集される。より具体的には、データ・コンテンツ・プロバイダ１２２は、インターネット１４０から、ウェブ・フィードのカスタマイズされた収集物にアクセスし、取得し、収集するように特に構成される。
【００２６】
いったんアクセスし取得し収集すると、ネットワーク・エクスポーザ１２４は、デバイス（１５２、１５４及び１５６）などのネットワーク接続されたデバイスに、カスタマイズされたウェブ・フィード・データ・コンテンツを露出（つまり、ブラウジング、使用、コピー及び／又は他のデータ特有の機能を利用可能にする）する。結果的に、ネットワーク接続されたデバイスは、カスタマイズされたデータ・コンテンツ収集物にアクセスし消費することできる。
【００２７】
例えば、ＤＭＲ１５６は、ネットワーク・エクスポーザ１２２からのカスタマイズされたウェブ・フィード・データ・コンテンツ収集物の現行版を発見することがある。ＤＭＲ１５６は、テキストをレンダリングし、付属のテレビ１５８において全画面表示でそのテキストを表示できる。あるいは、ＤＭＲ１５６は、水平スクロールテキストとしてテキストをレンダリングして、「ニューズクローラ（newscrawler）」の形式で、カスタマイズされたウェブ・フィード・データ・コンテンツ収集物を表示することがある。さらに、テレビで表示するためにテキストをＤＭＲレンダリングする代わりに、ネットワーク・エクスポーザ１２２は、ＤＭＲに送る前に、テキストをレンダリングすることがある。
方法的なインプリメンテーション：
図２は、ネットワーク接続されたデバイスに、コンピュータ接続されたポータブル・メディア・デバイスのデータ・コンテンツを露出する方法２００を示している。この方法２００は、図１に示されている様々な成分の１又は複数によって実行される。更に、この方法２００は、ソフトウェア、ハードウェア又はそれらの組合せにおいて実行されることがある。理解を容易にするために、この方法は、図２における独立したブロックとして表わされる個別のステップとして示されている。しかし、これらの別々に示されているステップは、その実行に依存する順序であるとは解釈されるべきでない。さらに、説明のために、方法２００は、図１を参照しながら説明される。さらに、説明のために、特定のコンポーネントが特定の機能を実行するように示されているが、他のコンポーネント（又はコンポーネントの組合せ）が、その特定の機能を実行することもある。
【００２８】
図２の２０２では、データ・コンテンツ・プロバイダ１２２は、コンピュータに直接に結合されたポータブル・メディア・デバイス（デバイス１３０など）のデータ・コンテンツを発見する。この発見は、その一部として、データ・コンテンツと関連する情報（例えばメタデータ）を含む。
【００２９】
２０４では、ネットワーク・エクスポーザ１２４は、ネットワーク接続されたデバイス（プラグ・アンド・プレイ・ネットワーク１５０上のデバイス１５２、１５４及び１５６など）に、ポータブル・メディア・デバイス（デバイス１３０など）のデータ・コンテンツ（及びそのメタデータ）を露出する。
【００３０】
図３は、ネットワーク接続されたデバイスに、ウェブ・フィード・データ・コンテンツのカスタマイズされた収集物を露出する方法３００を示す。この方法３００は、図１に示されている様々な成分の１又は複数によって実行される。更に、この方法３００は、ソフトウェア、ハードウェア又はそれらの組合せによって実行されることがある。理解を容易にするために、この方法は、図３における独立したブロックとして表わされる個別のステップとして示されている。しかし、これらの別々に示されているステップは、その実行に依存する順序であるとは解釈されるべきでない。さらに、説明のために、方法３００は、図１を参照しながら説明される。さらに、説明のために、特定のコンポーネントが特定の機能を実行するように示されているが、他のコンポーネント（又はコンポーネントの組合せ）が、その特定の機能を実行することもある。
【００３１】
図３の３０２では、データ・コンテンツ・プロバイダ１２２は、インターネット１４０からのウェブ・フィードのカスタマイズされた収集物にアクセスし、取得し、収集する。
【００３２】
３０４では、ネットワーク・エクスポーザ１２４は、ネットワーク接続されたデバイス（プラグ・アンド・プレイ・ネットワーク１５０上のデバイス１５２、１５４及び１５６など）に、ウェブ・フィード・データ・コンテンツのカスタマイズされた収集物を露出する。
例示的なコンピューティング・システム及び環境：
図４は、例示的なネットワーク外部データ・コンテンツ・エクスポーザが、この明細書で説明されるように実装される（完全に又は部分的に）適切なコンピューティング環境４００の例を図解している。コンピューティング環境４００は、この明細書で説明されるコンピュータ及びネットワーク・アーキテクチャ中において用いられる。
【００３３】
例示的なコンピューティング環境４００は、コンピューティング環境の単なる一例であって、コンピュータ及びネットワーク・アーキテクチャの使用及び機能の範囲に関するどのような制限も示唆することを意図していない。また、コンピューティング環境４００は、この例示的なコンピューティング環境４００において図解されている複数のコンポーネントの中のいずれのコンポーネントに関しても又はどのような組合せに関しても、いかなる従属性も要求も有しているものとしては解釈されるべきでない。
【００３４】
例示的なネットワーク外部データ・コンテンツ・エクスポーザは、多数の他の汎用または専用の計算システム環境又はコンフィギュレーションを用いて実装される。用いるのに適している周知の計算システム、環境及び／又はコンフィギュレーションの例には、限定を意味しないが、パーソナル・コンピュータ、サーバ・コンピュータ、シン（thin）クライアント、シック（thick）クライアント、ハンドヘルド又はラップトップ・デバイス、マルチプロセッサ・システム、マイクロプロセッサ・ベース・システム、セットトップ・ボックス、パーソナル・デジタル・アシスタント（ＰＤＡ）、アプライアンス、専用の電子装置（例えば、ＤＶＤプレーヤ）、プログラマブル家電、ネットワークＰＣ、ミニコンピュータ、メインフレーム・コンピュータ、上記のシステム又はデバイスの中のいずれかを含む分散コンピューティング環境などが含まれる。
【００３５】
例示的なネットワーク外部データ・コンテンツ・エクスポーザは、コンピュータによって実行されているプログラム・モジュールなどのコンピュータ実行可能命令の一般的なコンテキストにおいて説明できる。一般に、プログラム・モジュールには、特定のタスクを実行する又は特定の抽象的なデータ・タイプを実装するルーチン、プログラム、オブジェクト、コンポーネント、データ構造などが含まれる。例示的なネットワーク外部データ・コンテンツ・エクスポーザも、データ通信ネットワークを介してリンクされるリモート処理デバイスによってタスクが実行される分散コンピューティング環境において実現される。分散コンピューティング環境では、プログラム・モジュールは、メモリ記憶デバイスを含むローカル及びリモート両方のコンピュータ記憶媒体に存在しうる。
【００３６】
コンピューティング環境４００は、汎用のコンピューティング装置をコンピュータ４０２の形で含む。コンピュータ４０２のコンポーネントは、制限を意味しないが、１又は複数のプロセッサ又はプロセシング・ユニット４０４、システム・メモリ４０６、及び、システム・メモリ４０６にプロセッサ４０４を含む様々なシステム・コンポーネントを結合するシステム・バス４０８を含む。
【００３７】
システム・バス４０８は、様々なバス構造の中の任意のものの１又は複数であり、これには、メモリ・バス又はメモリ・コントローラと、周辺バスと、高速（アクセラレイティド）グラフィック・ポートと、プロセッサ又は様々ななバス構造の任意のものを用いているローカルバスとが含まれる。例えば、そのようなアーキテクチャには、ＣａｒｄＢｕｓ、パーソナル・コンピュータ・メモリ・カード・インタナショナル・アソシエーション（ＰＣＭＣＩＡ）、高速グラフィック・ポート（ＡＧＰ）、スモール・コンピュータ・システム・インタフェース（ＳＣＳＩ）、ユニバーサル・シリアル・バス（ＵＳＢ）、ＩＥＥＥ１３９４、ビデオ・エレクトロニクス・スタンダーズ・アソシエーション（ＶＥＳＡ）ローカルバス、メザニン・バスとしても知られているペリフェラル・コンポーネント・インタコネクツ（ＰＣＩ）バスなどが含まれる。
【００３８】
コンピュータ４０２は、典型的には、様々なコンピュータ可読媒体を含む。そのような媒体は、コンピュータ４０２によってアクセス可能な任意の入手可能な媒体であって、揮発性及び不揮発性両方の媒体、取外し可能及び取外し不可の媒体を含む。
【００３９】
システム・メモリ４０６は、ランダム・アクセス・メモリ（ＲＡＭ）４１０のような揮発性メモリ及び／又はリード・オンリ・メモリ（ＲＯＭ）４１２のような不揮発性メモリの形式を有するコンピュータ可読媒体を含む。始動中などにコンピュータ４０２内の要素間での情報転送を支援する基本ルーチンを含む基本入出力システム（ＢＩＯＳ）４１４は、ＲＯＭ４１２に格納されている。ＲＡＭ４１０は、典型的には、処理ユニット４０４によって直ちにアクセス可能であり、及び／又は、現に処理ユニット４０４によって動作するデータ及び／又はプログラム・モジュールを含む。
【００４０】
コンピュータ４０２は、更に、他の取外し可能な／取外し不可能、揮発性／不揮発性のコンピュータ記憶媒体を含みうる。例えば、図４には、取外し不可能な不揮発性磁気媒体（図示せず）との間で読み書きを行うハード・ディスク・ドライブ４１６、取外し可能な不揮発性磁気ディスク４２０（例えば、「フロッピ・ディスク」（登録商標））との間で読み書きを行う磁気ディスク・ドライブ４１８、ＣＤ−ＲＯＭやＤＶＤ−ＲＯＭなどの取外し可能な不揮発性光ディスク４２４との間で読み書きを行う光ディスク・ドライブ４２２、それ以外の光学媒体などが図解されている。ハード・ディスク・ドライブ４１６、磁気ディスク・ドライブ４１８、光ディスク・ドライブ４２２は、それぞれが、１又は複数のデータ媒体インターフェース４２５によってシステム・バス４０８に接続されている。あるいは、ハード・ディスク・ドライブ４１６、磁気ディスク・ドライブ４１８、光ディスク・ドライブ４２２は、１又は複数のインターフェース（図示せず）によってシステム・バス４０８に接続されている。
【００４１】
ディスク・ドライブ及び関連するコンピュータ可読媒体は、コンピュータ４０２のためのコンピュータ可読命令、データ構造、プログラム・モジュール及びそれ以外のデータの不揮発的な記憶装置を提供する。ハード・ディスク４１６、取外し可能な磁気ディスク４２０及び取外し可能な光ディスク４２４などが例示されているが、磁気カセット又は他の磁気記憶装置、フラッシュ・メモリ・カード、ＣＤ−ＲＯＭ、ディジタル・バーサタイル・ディスク（ＤＶＤ）又は他の光学記憶装置、ランダム・アクセス・メモリ（ＲＡＭ）、
リード・オンリ・メモリ（ＲＯＭ）、電子的に消去可能プログラマブルＲＯＭ（ＥＥＰＲＯＭ）など、コンピュータによってアクセス可能なデータを記憶する他のタイプのコンピュータ可読媒体を用いてこの例示的なコンピューティング・システム及び環境を実装することが可能である。
【００４２】
任意の数のプログラム・モジュールを、例えば、オペレーティング・システム４２６、１又は複数のアプリケーション・プログラム４２８、他のプログラム・モジュール４３０及びプログラム・データ４３２によって、ハード・ディスク４１６、磁気ディスク４２０、光ディスク４２４、ＲＯＭ４１２及び／又はＲＡＭ４１０に記憶可能である。
【００４３】
ユーザは、キーボード４３４やポインティング・デバイス４３６（例えば「マウス」）のような入力装置を介して、コンピュータ４０２にコマンドや情報を入力する。他の入力装置４３８（図示せず）には、マイクロホン、ジョイスティック、ゲーム・パッド、衛星デッシュ、シリアル・ポート、スキャナなどが含まれる。これら及び他の入力装置は、システム・バス４０８に結合された入出力インターフェース４４０快癒で処理ユニット４０４に接続されるが、パラレル・ポート、ゲームポート又はユニバーサル・シリアル・バス（ＵＳＢ）などの他のインターフェース及びバス構造によって接続されることもある。
【００４４】
モニタ４４２又は他のタイプの表示装置を、ビデオ・アダプタ４４４などのインターフェース経由でシステム・バス４０８に接続されることがある。モニタ４４２に加えて、他の出力周辺機器は、スピーカ（図示せず）やプリンタ４４６などのコンポーネントを含むことがある。これらのコンポーネントは、入出力インタフェース４４０を介してコンピュータ４０２に接続される。
【００４５】
コンピュータ４０２は、リモート・コンピューティング・デバイス４４８のような１又は複数のリモート・コンピュータへの論理結合を用いて、ネットワーク環境において動作する。例えば、リモート・コンピューティング・デバイス４４８は、パーソナル・コンピュータ、ポータブル・コンピュータ、サーバ、ルータ、ネットワーク・コンピュータ、ピア・デバイス、それ以外の共通ネットワーク・ノードなどである。リモート・コンピューティング・デバイス４４８は、ここでコンピュータ４０２との関係で説明される要素及び特徴の多く又はすべてを含むポータブル・コンピュータとして図解されている。
【００４６】
コンピュータ４０２とリモート・コンピュータ４４８との間の論理結合は、ローカル・エリア・ネットワーク（ＬＡＮ）４５０及び一般的なワイド・エリア・ネットワーク（ＷＡＮ）４５２として示されている。そのようなネットワーキング環境は、オフィスや企業におけるコンピュータ・ネットワーク、イントラネット及びインターネットなどで一般的である。そのようなネットワーキング環境は、有線の場合も無線の場合もある。
【００４７】
ＬＡＮネットワーキング環境において実装されるときには、コンピュータ４０２は、ネットワーク・インターフェース又はアダプタの４５４を介してローカル・ネットワーク４５０に接続される。ＷＡＮネットワーキング環境において実装されるときには、コンピュータ４０２は、典型的には、モデム４５６又は広いネットワーク４５２上での通信を確立する他の手段とを含む。モデム４５６は、コンピュータ４０２の内部でも外部でもありうるが、入出力インタフェース４４０又は他の適切な機構を介してシステム・バス４０８に接続される。図解されているネットワーク接続は単なる例であり、コンピュータ４０２とコンピュータ４４８との間で通信リンクを確立するには、他の手段も用いられる。
【００４８】
コンピューティング環境４００と共に図解されているそのようなネットワーク環境では、示されているプログラム・モジュールは、コンピュータ４０２又はその部分との関係では、リモート記憶装置に格納されることがある。例えば、リモート・アプリケーション・プログラム４５８は、リモート・コンピュータ４４８のメモリ・デバイス上に存在する。図解のために、オペレーティング・システムなどのアプリケーション・プログラム及び他の実行可能プログラム・コンポーネントは、離散的なブロックとしてここに示されている。ただし、そのようなプログラムやコンポーネントは、それぞれの時点で、コンピューティング装置４０２の異なる記憶コンポーネントに存在し、コンピュータのデータ・プロセッサによって実行される。
コンピュータ実行可能な命令：
例示的なネットワーク外部データ・コンテンツ・エクスポーザの実装例を、１又は複数のコンピュータ又は他のデバイスによって実行されるプログラム・モジュールなどのコンピュータ実行可能な命令の一般的なコンテキストの中で説明する。一般に、プログラム・モジュールには、特別のタスクを実行する又は特定の抽象的なデータ・タイプを実装するルーチン、プログラム、オブジェクト、コンポーネント、データ構造などが含まれる。典型的には、様々な実施例において望まれるように、プログラム・モジュールの機能は、組み合わせられたり、分散される。
例示的な動作環境：
図４は、例示的なネットワーク外部データ・コンテンツ・エクスポーザが実装される適切な動作環境４００の例を図解している。具体的には、この明細書で説明される例示的なネットワーク外部データ・コンテンツ・エクスポーザは、図４における任意のプログラム・モジュール４２８−４３０及び／又はオペレーティング・システム又はその一部によって、実装される。
【００４９】
この動作環境は適切な動作環境の単なる例であって、ここで説明される例示的なネットワーク外部データ・コンテンツ・エクスポーザの機能の範囲又は使用に関して、いかなる制限も意図されない。使用に適した他の周知のコンピューティング・システム、環境及び／又はコンフィギュレーションには、限定を意味しないが、上述のシステム又はデバイスなどを含むパーソナル・コンピュータ（ＰＣ）、サーバ・コンピュータ、ハンドヘルド又はラップトップ・デバイス、マルチプロセッサ・システム、マイクロプロセッサ・ベース・システム、プログラマブル家電、無線電話及び機器、汎用及び専用のアプライアンス、特定用途向け集積回路（ＡＳＩＣ）、ネットワークＰＣ、ミニコンピュータ、メインフレーム・コンピュータ、分散コンピューティング環境などが含まれる。
コンピュータ可読媒体：
例示的なネットワーク外部データ・コンテンツ・エクスポーザの実装（インプリメンテーション）は、ある形式のコンピュータ可読媒体に格納されるか、又は、そのようなコンピュータ可読媒体を介して伝送される。コンピュータ可読媒体とは、コンピュータによってアクセス可能な任意の利用可能な媒体である。例えば、コンピュータ可読媒体は、限定を意味しないが、「コンピュータ記憶装置媒体」及び「通信媒体」を含む。
【００５０】
「コンピュータ記憶媒体」は、コンピュータ可読命令、データ構造、プログラム・モジュール、それ以外のデータなどの情報を記憶する任意の方法及び技術を用いて実現されている揮発性及び不揮発性で取外し可能及び非取外し不可能な媒体を含む。コンピュータ記憶媒体は、限定を意味しないが、ＲＡＭ、ＲＯＭ、ＥＥＰＲＯＭ、フラッシュ・メモリ又は他のメモリ技術、ＣＤ−ＲＯＭ、ディジタル・バーサタイル・ディスク（ＤＶＤ）又は他の光記憶装置、磁気カセット、磁気テープ、磁気ディスク記憶装置又は他の磁気記憶装置、又は所望の情報を記憶するのに用いられコンピュータによってアクセスされるそれ以外の任意の媒体が含まれる。
【００５１】
「通信メディア」は、典型的には、コンピュータ可読命令、データ構造、プログラム・モジュール、又は、搬送波やそれ以外の転送機構などの変調データ信号におけるそれ以外のデータを具体化する。
結論：
この明細書における議論は、ユニバーサル・プラグ・アンド・プレイ（ＵＰｎＰ）アーキテクチャ及びネットワークに焦点を合わせたものである。しかし、このような特定のネットワーク・フレーム・ワークは単に例示的である。説明されている実装例（インプリメンテーション）の機能は、他の種類のアーキテクチャやネットワークを用いても、実装可能である（すなわち、機能は、ＵＰｎＰエンティティを含むネットワークに制限されない）。
【００５２】
一般に、「エンティティ（実在物）」、「デバイス」という用語は広く解釈されることが意図されている。これらの用語は、目的とするタスクを行なうために離散的なスタンドアロンのユニットを指し、複数のユニットから構成されるシステムを含み、それらのユニットに含まれるハードウェア及び／又はソフトウェア・コンポーネントを含む。
【００５３】
ここで説明される技術は、多くの方法で実現可能であり、現地を意味しないが、プログラム・モジュール、汎用及び専用のコンピューティング・システム、ネットワーク・サーバ及び機器、専用の電子装置及びハードウェア、１又は複数のコンピュータ・ネットワークの一部などを含む。これらの技術は、例えば、図４に図解されているコンピュータ・システムにおいて実装されることがある。
【００５４】
１又は複数の上記実装例（インプリメンテーション）は構造的特徴及び／又は方法上のステップに関して特定の言語を用いて説明されているが、これ以外のインプリメンテーションが、ここで説明した特定の構成及びステップとは別の態様を用いても可能である。ここで示した特定の構成及びステップは、１又は複数の実装例の好適な態様として開示されている。
【図面の簡単な説明】
【００５５】
複数の図面においても、同一の構成要素及び構成に関しては同一の参照番号が用いられている。
【図１】ここで開示される１又は複数の実装例に従った例示的なネットワーク・アーキテクチャを示す。
【図２】ここで開示される１又は複数の実装例に従った方法的な実装例の流れ図を示す。
【図３】ここで開示される１又は複数の実装例に従った方法的な実装例の流れ図を示す。
【図４】ここで説明される少なくとも１つの実施例を（全体として又はその一部を）実装することができるコンピューティング動作環境の例である。
【図２】
2009520270.tif 000003
【図３】
2009520270.tif 000004
【図４】
2009520270.tif 000005
【図１】
2009520270.tif 000006
【国際調査報告】
2009520270.tif 000007
2009520270.tif 000008